(57)【要約】  第一シート部材と、第二シート部材と、第三シート部材とを有し、前記第一シート部材は第一開口が設置され、第一表面及び第二表面を有し、前記第一表面には粘着層が設けられ、前記第二シート部材は第二開口が設置され、第三表面及び第四表面を有し、前記第三表面と前記第二表面との間は第一密封帯状区域により相互に連結され、前記第三シート部材は第五表面及び第六表面を有し、前記第二シート部材と前記第三シート部材は第二密封帯状区域により相互に連結され、袋体を形成する、体液収集装置である。前記体液収集装置は異なる体液の収集に用いて、使用者の母乳の漏れ、尿の漏れ等の問題を解決することができる。【選択図】図１
2021529033.tif 000002
【特許請求の範囲】
【請求項１】
第一シート部材と、粘着層と、第二シート部材と、第三シート部材とを有し、
前記第一シート部材は第一開口を有し、かつ第一表面及び第二表面を有し、
前記粘着層は前記第一シート部材の前記第一表面に設けられ、
前記第二シート部材は、第二開口を有し、かつ第三表面及び第四表面を有し、前記第三表面と前記第一シート部材の前記第二表面は第一密封帯状区域に連結され、前記第一密封帯状区域の外縁は前記第一シート部材の縁と前記第一開口との間に位置し、
前記第三シート部材は第五表面及び第六表面を有し、前記第五表面と前記第二シート部材の前記第四表面は第二密封帯状区域に連結され、前記第三シート部材の縁は前記第二シート部材の縁と密封連結されることで、開口を有する袋体を形成する、体液収集装置。
【請求項２】
前記第一開口、前記第二開口及び前記第一密封帯状区域の配置関係が、
前記第一開口の縁及び前記第二開口の縁は、前記第一密封帯状区域の内縁と重なっており、かつ前記袋体の前記開口を形成する、
又は前記第一開口は前記第二開口より小さく、前記第二開口の縁は前記第一密封帯状区域の内縁と重なっていることで、前記袋体の前記開口は前記第一開口となっている、
又は前記第一開口は前記第二開口より大きく、前記第一開口の縁は前記第一密封帯状区域の内縁と重なっていることで、前記袋体の前記開口は前記第二開口となっている、
又は前記第一開口は前記第二開口より小さいか若しくは等しく、前記第二開口の縁は前記第一開口と前記第一密封帯状区域の内縁との間に位置することで、前記袋体の前記開口は前記第一開口となっており、前記袋体内の前記第二開口の縁と前記第一開口の縁は分離している、請求項１に記載の体液収集装置。
【請求項３】
前記第三シート部材の縁の少なくとも一部分と、前記第二シート部材の縁の少なくとも一部分は製造過程において連続材料の方法で連結される、請求項１に記載の体液収集装置。
【請求項４】
前記第二密封帯状区域上には少なくとも１つの紐穴又はボタン穴が設けられている、請求項１に記載の体液収集装置。
【請求項５】
前記第一密封帯状区域の外縁が前記第一シート部材の縁より小さく、かつ前記第二シート部材の縁よりも小さくなっていることで、前記第一シート部材の縁と前記第二シート部材の縁が分離している、請求項１〜４のいずれか一項に記載の体液収集装置。
【請求項６】
前記第一シート部材、前記第二シート部材及び前記第三シート部材は自然状態の下で平面又は弧状面であり、又は一部が平面で一部が弧状面の軟質シート部材であり、かつ弾性又は非弾性の材料から構成される、請求項１〜４のいずれか一項に記載の体液収集装置。
【請求項７】
前記第一シート部材は粘性材料により製造される、請求項１〜４のいずれか一項に記載の体液収集装置。
【請求項８】
前記第一シート部材の縁又は前記第一開口の縁に延設される構造維持ユニットをさらに含む、請求項１〜４のいずれか一項に記載の体液収集装置。
【請求項９】
前記第二シート部材の前記第四表面と前記第三シート部材の前記第五表面との間にさらにスペーサが設けられることで、前記第二シート部材の前記第四表面と前記第三シート部材の前記第五表面とは完全に貼附せず、かつ前記袋体内に完全に密封された空間を形成せず、前記スペーサは非平面の立体構造を有し、気泡緩衝材、段ボール、単一の管状物又は複数の管状物の少なくともいずれか１つを含む、請求項１〜４のいずれか一項に記載の体液収集装置。
【請求項１０】
前記第二シート部材の前記第四表面と前記第三シート部材の前記第五表面はその一部が連結され、前記袋体は通路により相互に通じる二つの空間に分けられ、かつ前記通路にさらにスペーサを設けることで、前記袋体の２つの空間が前記スペーサにより相互に通じ、前記スペーサは一方向誘導機能を有する一方向要素であり、一方向弁又は流量計の少なくともいずれか１つを含む、請求項１〜４のいずれか一項に記載の体液収集装置。
【請求項１１】
前記第二シート部材と前記第三シート部材は長い対称軸と短い対称軸を有する角丸の矩形であり、前記開口は前記長い対称軸の中間点又は前記長い対称軸に隣接する一端に設けられている、請求項１〜４のいずれか一項に記載の体液収集装置。
【請求項１２】
前記長い対称軸と前記短い対称軸の比率は２：１より大きく、好ましくは３：１より大きく、より好ましくは４：１より大きい、請求項１１に記載の体液収集装置。
【請求項１３】
前記第一シート部材の厚さが０．１ｍｍ未満、好ましくは０．０５ｍｍ未満、より好ましくは０．０３ｍｍ未満である、請求項１〜４のいずれか一項に記載の体液収集装置。
【請求項１４】
前記第一シート部材が微孔フィルムであり、透気性が水蒸気透過率（ＭＶＴＲ）５００（ｇ／ｍ２．２４ｈ）以上、塗布後の透湿度が１，０００（ｇ／ｍ２．２４ｈ）以上である、請求項１〜４のいずれか一項に記載の体液収集装置。
【請求項１５】
前記第一シート部材が少なくとも１つの円弧形の切り目又は花弁形の縁を有することで、非平面の表面によりフィットしやすくなる、請求項１〜４のいずれか一項に記載の体液収集装置。
【請求項１６】
前記体液収集装置はさらに排水管を含み、前記排水管は前記袋体の前記第二シート部材又は前記第三シート部材に連結され、前記袋体の内部は前記排水管により前記袋体の外部と通じており、
前記排水管の設置方法が、
前記第二密封帯状区域が開放部分を有し、前記排水管は前記開放部分を通り抜け前記第二シート部材と前記第三シート部材の間に挟まれている、
又は前記第二シート部材又は前記第三シート部材は少なくとも１つの排水口を有し、前記排水管は前記排水口に対応して設置され、前記排水管の一端は前記排水管の軸方向とほぼ垂直で前記排水管の外周を囲むよう設けられたつば部を有し、前記つば部は前記第二シート部材の前記第三表面又は前記第三シート部材の前記第六表面と連結されている、
請求項１〜４のいずれか一項に記載の体液収集装置。
【請求項１７】
前記排水管は蓋体を含み、
前記蓋体と前記排水管が互いに螺合する、
又は前記蓋体及び前記排水管のいずれか一方に凸縁を設けてもう一方に凹縁を設け両者を組み合わせる、
又は弾性材料及び摩擦力によって前記蓋体を前記排水管へ差し込む、
のいずれか１つの方法で前記排水管を開閉可能とする、
請求項１６に記載の体液収集装置。
【請求項１８】
第一シート部材と、粘着層と、第二シート部材と、第三シート部材とを有し、
前記第一シート部材は第一開口を有し、かつ第一表面を有し、
前記粘着層は前記第一シート部材の前記第一表面に設けられ、
前記第二シート部材は、第二開口を有し、
前記第一シート部材の前記第一開口の縁と前記第二シート部材の前記第二開口の縁は連続材料の方法で密封連結され、前記第二シート部材の縁と前記第三シート部材の縁は連続材料の方法で密封連結されることで、開口を有する袋体を形成する、体液収集装置。
【請求項１９】
前記第二シート部材又は前記第三シート部材の周長が１５０ｍｍ未満、厚さが０．０５ｍｍ未満、前記袋体の容積が１５ミリリットル未満である、請求項１８に記載の体液収集装置。
【請求項２０】
前記第一シート部材の縁に延設される構造維持ユニットをさらに含む、請求項１８に記載の体液収集装置。
【発明の詳細な説明】
【技術分野】
【０００１】
本発明は、体液の収集装置に関し、特に母乳、尿又は精液の収集装置に関する。
【０００２】
哺乳育児における母乳、乳幼児から検尿する尿、尿失禁患者の尿及び不妊検査での採取が必要な精液等の制御が難しい人体の体液は、溢出した際に即座に収集することは容易でないため、衣服やマットレスを汚し当事者又は収集を行う者の負担となっている。
【背景技術】
【０００３】
先行技術では体液収集装置に対する解決方法として、母乳収集カバー、多種の口径を有し導尿カテーテルと連結する導尿バッグ、幼児貼付け式集尿バッグ、避妊具などが提供されている。しかしこうした先行技術で応用される体液収集装置には依然として、授乳時に漏れ防止の母乳パットを絶えず交換する必要がある、尿失禁患者は分厚く熱気が篭るおむつを絶えず交換する必要がある又は尿道留置カテーテルにより尿を尿バッグへ導く必要がある、精液採集時に精液を小さな容器に入れる必要がある、といった多くの欠点が存在する。
【０００４】
このような先行技術における体液収集装置においては繰り返し貼附や除去ができるよう設計する必要があるが、こうした方法では粘着性を犠牲にするため、体液収集装置は体液の重量を受けると粘着性不足により落ちてしまうという事態が起きる。したがって体液収集装置が容易に落ちないようにすることは、先行技術において解決されていない問題である。
【０００５】
先行技術でよく見られる別の問題として、貼附させる位置は必ずしも連続的な平面とは限らず、女性の乳房や男女の外生殖器はいずれも連続的な平面ではないため、貼附時に体液収集装置の貼附部位が体表にフィットせずねじ曲がって変形してしまう、また使用者が動態である場合も貼附が堅固ではないといった問題がある。したがって体液収集装置を曲面である体表へどのように容易に貼附させるか及び体液収集装置をどのように動態変化に適用させるかは、先行技術において解決が待たれる問題である。
【０００６】
先行技術で最もよく見られる別の問題として、使用中に体液が体液収集装置の貼附部位に浸透することで粘着性が低下し、装置が落ちてしまうという問題がある。したがって先行技術を如何に改良し、収集した体液が貼附部位に容易に浸透しないようにすることも、同様に解決が待たれる問題である。
【発明の概要】
【発明が解決しようとする課題】
【０００７】
上記課題に鑑みて、本発明は、人体に粘着しやすく、落ちにくく、母乳、尿や精液等の体液を収集でき、漏れによる汚染も起こりにくい体液収集装置を提供することを目的とする。
【課題を解決するための手段】
【０００８】
上記目的を達成するために、本発明は、第一シート部材と、第二シート部材と、第三シート部材とを有し、前記第一シート部材は第一表面及び第二表面を有し、前記第一シート部材を貫通する第一開口が設けられ、前記第一表面には粘着層が設けられ、前記第二シート部材は第三表面及び第四表面を有し、前記第二シート部材を貫通する第二開口が設けられ、前記第三表面と前記第二表面との間は第一密封帯状区域により相互に連結され、前記第三シート部材は第五表面及び第六表面を有し、前記第二シート部材と前記第三シート部材との間は第二密封帯状区域により相互に連結され、袋体を形成する、体液収集装置を提供する。
【０００９】
上記目的を達成するために、本発明は、第一シート部材と、第二シート部材と、第三シート部材とを有し、前記第一シート部材は第一表面を有し、前記第一シート部材を貫通する第一開口が設けられ、前記第一表面には粘着層が設けられ、前記第二シート部材は、前記第二シート部材を貫通する第二開口が設けられ、前記第二開口の縁は第一開口の縁と連続材料の方法で密封連結され、前記第三シート部材は前記第二シート部材の縁と連続材料の方法で密封連結され、袋体を形成する、体液収集装置を提供する。
【００１０】
好ましくは、前記体液収集装置は、前記第一開口の縁及び前記第二開口の縁は、前記第一密封帯状区域の内縁と重なっている。
【００１１】
好ましくは、前記体液収集装置は、前記第一開口は前記第二開口より小さく、前記第二開口の縁は前記第一密封帯状区域の内縁と重なっている。
【００１２】
好ましくは、前記体液収集装置は、前記第一開口は前記第二開口より小さく、前記第二開口の縁は前記第一開口と前記第一密封帯状区域の内縁の間に位置し、前記第一開口の縁と前記第二開口の縁は互いに分離している。
【００１３】
本発明は、異なる体液、例えば母乳、精液、血液、経血、胸水、腹水、組織液又は尿などの収集に適用することができる。
【００１４】
本発明は異なる体液量の体液を収容可能な体液収集装置である。様々な材料、形状又は大きさのシート部材と組み合わせて使用することで、異なる容量又は形状の袋体を作ることができる。本発明を精液収集装置として用いた場合、第二シート部材及び第三シート部材の周長が短く厚さが薄いため、体液収集装置がより薄く小型になり、性行為中の快感を高めることができる。また容積は男性の射精量に合わせて設定される。
【００１５】
本発明は材料の加工の便宜に基づき、体液収集装置は独立シート部材が連結されて構成されるよう、又は連続材料で製造するよう、設計することができる。
【００１６】
本発明は体液収集の用途又は使用の状況によって、様々な追加設計を有することができる。
【発明の効果】
【００１７】
本発明の有益な効果として、本発明の体液収集装置は構造が簡易であり、人体に粘着しやすく、収集した体液が漏れることを効果的に防止できる。
【００１８】
本発明の有益な効果として、第三表面と第二表面との間は第一密封帯状区域により相互に連結される設計により、第一シート部材が受ける力を堅固に連結された前記第一密封帯状区域に集中させ、本発明の使用時に摩擦、引っ張り、水圧又は重力により本発明の体液収集装置が人体から剥がれなくなる。
【００１９】
本発明の有益な効果として、第一開口の縁と第二開口の縁は互いに分離しており、かつ第一密封帯状区域の外縁を参考点としているため、粘着層が前記第一シート部材のそれぞれ内側及び外側双方に固定されるという効果により、前記第二シート部材の引っ張り又は袋体の重力により前記第一シート部材が体表から剥がれることに対し効果的に抵抗することができる。前記第一シート部材及び前記第二シート部材は弾性のある材質を使用することができ、緩衝の効果がより増大する。
【００２０】
本発明の有益な効果として、薄型化された第一シート部材によって、縁が摩擦によりめくれにくくまた剥がれにくくなる。また当該第一シート部材は透気性及び透湿性に優れているため、不快感を和らげ皮膚アレルギーを減少させることができ、さらに繰り返し貼附や除去をすることができ皮膚の損傷が発生しづらくなる。
【００２１】
本発明の有益な効果として、第一シート部材の縁に少なくとも１つの切り目の設計、円弧形の切り目の設計又は花弁形の縁の設計を有することで、非平面の人体上によりフィットしやすくなり、袋体が液体で充満した際に外力からの引っ張りに対しより抵抗することができる。
【００２２】
本発明の有益な効果として、第一開口と第二開口の大小関係、及び第一密封帯状区域の位置を改良することで、袋体が体液で充満した際に、水圧が当該第一密封帯状区域の内縁に導かれ、第一開口の縁から体液が外に漏れる確率が減少する。
【００２３】
本発明の有益な効果として、第一シート部材の縁又は第一開口の縁に延設される構造維持ユニットにより、当該第一シート部材の縁に皺が生じ体液が皺から漏れることを防止することができる。
【００２４】
本発明の有益な効果として、第二シート部材及び第三シート部材は長い対称軸と短い対称軸を有する角丸の矩形であり、当該長い対称軸と当該短い対称軸との比率は２対１より大きい又は少なくとも２対１に等しく、細長で帯状の袋体は使用者の足に固定されると、尿の重量を平均的に分散させ重心が不安定になることを防ぎ、使用者は足を自由に動かすことができる。
【００２５】
本発明の有益な効果として、実施例の体液収集装置は母乳収集装置、尿バッグ又は避妊用の男性の精液収集装置に用いることができ、こうした実施形態により、母乳の漏れ、尿の漏れ、精液検査や夢精による汚染といった使用者の問題を解決することができる。
【図面の簡単な説明】
【００２６】
【図１】図１は本発明の体液収集装置を示す概略図である。
【図２Ａ】図２Ａは体液収集装置を異なる角度から示した概略図である。
【図２Ｂ】図２Ｂは体液収集装置を異なる角度から示した概略図である。
【図２Ｃ】図２Ｃは体液収集装置を異なる角度から示した概略図である。
【図３Ａ】図３Ａは体液収集装置の別の実施例を示す概略図である。
【図３Ｂ】図３Ｂは体液収集装置の別の実施例を示す概略図である。
【図４Ａ】図４Ａは体液収集装置の袋体開口の異なる態様を示す概略図である。
【図４Ｂ】図４Ｂは体液収集装置の袋体開口の異なる態様を示す概略図である。
【図４Ｃ】図４Ｃは体液収集装置の袋体開口の異なる態様を示す概略図である。
【図５Ａ】図５Ａは体液収集装置の使用方法及び効果を示す概略図である。
【図５Ｂ】図５Ｂは体液収集装置の使用方法及び効果を示す概略図である。
【図５Ｃ】図５Ｃは体液収集装置の使用方法及び効果を示す概略図である。
【図５Ｄ】図５Ｄは体液収集装置の使用方法及び効果を示す概略図である。
【図６Ａ】図６Ａは体液収集装置の別の実施例を示す概略図である。
【図６Ｂ】図６Ｂは体液収集装置の別の実施例を示す概略図である。
【図７】図７は本発明の体液収集装置の別の実施例を示す概略図である。
【図８Ａ】図８Ａは体液収集装置の別の実施例を示す概略図である。
【図８Ｂ】図８Ｂは体液収集装置の別の実施例を示す概略図である。
【図９】図９は本発明の体液収集装置の別の実施例を示す概略図である。
【図１０Ａ】図１０Ａはスペーサを有する体液収集装置を示す概略図である。
【図１０Ｂ】図１０Ｂはスペーサを有する体液収集装置を示す概略図である。
【図１０Ｃ】図１０Ｃはスペーサを有する体液収集装置を示す概略図である。
【図１１Ａ】図１１Ａは一方向要素を有する体液収集装置を示す概略図である。
【図１１Ｂ】図１１Ｂは一方向要素を有する体液収集装置を示す概略図である。
【図１２Ａ】図１２Ａは紐穴を有する体液収集装置を示す概略図である。
【図１２Ｂ】図１２Ｂは紐穴を有する体液収集装置を示す概略図である。
【図１３】図１３は本発明の体液収集装置の別の実施例を示す概略図である。
【図１４Ａ】図１４Ａは排水管を有する体液収集装置を示す概略図である。
【図１４Ｂ】図１４Ｂは排水管を有する体液収集装置を示す概略図である。
【図１４Ｃ】図１４Ｃは排水管を有する体液収集装置を示す概略図である。
【図１５Ａ】図１５Ａは本発明の体液収集装置の別の実施例の使用ステップを示す概略図である。
【図１５Ｂ】図１５Ｂは本発明の体液収集装置の別の実施例の使用ステップを示す概略図である。
【図１５Ｃ】図１５Ｃは本発明の体液収集装置の別の実施例の使用ステップを示す概略図である。
【図１５Ｄ】図１５Ｄは本発明の体液収集装置の別の実施例の使用ステップを示す概略図である。
【図１５Ｅ】図１５Ｅは本発明の体液収集装置の別の実施例の使用ステップを示す概略図である。
【発明を実施するための形態】
【００２７】
以下に、図面を参照しながら、本発明を実施するための形態を説明する。なお、同じ又は類似の部材については、同じ符号を付して説明する。
【００２８】
図１で示される体液収集装置１０は本発明の実施例である。体液収集装置１０は、第一シート部材１１と、第二シート部材２１と、第三シート部材３１とを有し、第一シート部材１１は第一開口１２、第一表面Ｓ１及び第二表面Ｓ２を有し、第一表面Ｓ１には使用者への粘着に用いる粘着層１３が設けられ、第二シート部材は第二開口２２、第三表面Ｓ３及び第四表面Ｓ４を有し、第三表面Ｓ３は円形、楕円形、又は角丸正多角形に沿って、第一シート部材１１の第二表面Ｓ２と第一密封帯状区域１１２１に連結され、第一密封帯状区域１１２１の外縁は第一シート部材１１の縁と第一開口１２との間に位置し、第三シート部材３１は第五表面Ｓ５及び第六表面Ｓ６を有し、第三シート部材３１の縁と第二シート部材２１が密接連結されることで、開口を有する袋体が形成され、体液の貯蔵に用いる。
【００２９】
図２Ａから図２Ｃは体液収集装置１０を異なる角度から示した概略図である。図２Ａは正面図（粘着層１３は図示せず）、図２Ｂは断面図、図２Ｃは背面図である。図２Ｂで示すように（図２Ｂは図２Ａの垂直断面を示す）、第三シート部材３１の第五表面Ｓ５と第二シート部材２１の第四表面Ｓ４は第二密封帯状区域２１３１で連結している（図２Ｂ，図２Ｃで示す）。本実施例において、第一開口１２の縁及び第二開口２２の縁は第一密封帯状区域１１２１の内縁と重なっており、袋体の開口を形成している（図２Ｂに示す）。この開口は円形又は楕円形であってよいがこれに限らない。第一シート部材１１、第二シート部材２１、及び第三シート部材３１は平面又は弧状面の膜として製造されてよく、その形状は円形、楕円形又は角丸多角形であってよいがこれに限らない。
【００３０】
体液収集装置１０は例えば天然ラテックス、合成ラテックス、ゴム、シリコン、ポリイソプレン（ＰＩ）、ポリウレタン（ＰＵ）、ポリエチレン（ＰＥ）、ポリマー材料、生体材料又は合成生物ＤＮＡ材料を使用して製造することができるが、これに限らない。粘着層１３を構成する材料は例えば感圧接着剤を含むことができる。第一シート部材１１は粘性材料により製造することができる。第二シート部材２１の第三表面Ｓ３と第一シート部材１１の第二表面Ｓ２は相互に連結され、第三シート部材３１の第五表面Ｓ５と第二シート部材２１の第四表面Ｓ４は相互に連結される。この連結は溶剤、接着剤、テープ又は接着フィルムを使用するか、例えば電熱、超音波又は高周波等の方法で溶接することで行うことも可能であるが、これに限らない。
【００３１】
摩擦、引っ張り、水圧又は重力に抵抗し、本発明が人体から剥がれ体液が外に漏れるのを防ぐために、図３Ａに示すように、第一シート部材１１、第二シート部材２１及び第三シート部材３１は自然状態の下で平面的な軟質シートであってよい。その材質は弾性を有するものが好ましいが、弾性を有しない材質を使用してもよく、厚さは０．１ミリメートル（ｍｍ）未満が好ましい。ここで第一シート部材１１は使用者の皮膚への粘着に用いるため優れた透気性を有する必要があり、微孔フィルムを使用することができる。例えば高透気性、高透湿性のポリウレタン（ＰＵ）フィルムが挙げられるがこれに限らず、厚さは例えば０．１ｍｍ未満、好ましくは０．０５ｍｍ未満、より好ましくは０．０３ｍｍ未満であり、透気性として好ましくは水蒸気透過率（ＭＶＴＲ）が５００（ｇ／ｍ２．２４ｈ）以上、塗布後の透湿度として好ましくは１，０００（ｇ／ｍ２．２４ｈ）以上である。第一シート部材１１の厚さが薄いほど、貼附度がより増し、縁が摩擦を受けてめくれにくくまた剥がれにくくなる。第一シート部材１１の透気性、透湿性が高いほど、長時間の使用時の不快感がより和らぎ皮膚アレルギーをより減少させることができる。図３Ｂに示すように、第二シート部材２１と第三シート部材３１は各々の縁で相互に連結され、この場合第二密封帯状区域２１３１は実質的な幅を有する閉じた線であり、第一シート部材１１の縁は少なくとも１つの切り目を有していてよく、好ましくは例えば円弧形の切り目である。この切り目により、体液収集装置１０を表面が曲面である体表へ粘着させる際、第一シート部材１１の縁に皺が生じるのを防ぐことができ、貼附の密着性が改善する。第一シート部材１１は花弁形の縁を有していてもよく、これにより非平面の表面によりフィットしやすくなる。また、縁が花弁形の構造を有する第一シート部材１１は爪同様の保持力を提供し、袋体内が体液で充満した際に外力からの引っ張りに対しより抵抗することができる。
【００３２】
図４Ａから図４Ｃは体液収集装置１０の異なる用途における、袋体開口の異なる態様を示す概略図である。図４Ａに示すように、第一開口１２は第二開口２２より小さく、第二開口２２の縁は第一密封帯状区域１１２１の内縁と重なっていることで、袋体の開口は第一開口１２となっている。図４Ｂに示すように、第一開口１２は第二開口２２より大きく、第一開口１２の縁は第一密封帯状区域１１２１の内縁と重なっていることで、袋体の開口は第二開口２２となっている。図４Ｃに示すように、第一開口１２は第二開口２２より小さく、第二開口２２の縁は第一開口１２と第一密封帯状区域１１２１の内縁との間に位置し、袋体内の第二開口２２の縁は第一シート部材１１と連結していないことで、袋体の開口は第一開口１２となっている。図４Ａ及び図４Ｃで示される袋体開口の縁は第一シート部材１１の一層であり、厚さが０．１ｍｍ未満であれば、体液が第一開口１２の縁から外に漏れることをより効果的に防止することができる。また図４Ｃに示すように袋体が体液で充満した際に、水圧が第一シート部材１１と第二シート部材２１が相互に連結する第一密封帯状区域１１２１の内縁に導かれることで、第一開口１２の縁から体液が外に漏れる確率が減少する。また、これら実施例において第一密封帯状区域１１２１の外縁を参考点とし、粘着層１３によって第一シート部材１１のそれぞれ内側及び外側双方に固定されるという効果により、第二シート部材２１の引っ張り又は袋体の重力が原因となって第一シート部材１１が体表から剥がれることに効果的に抵抗することが可能となる。
【００３３】
図５Ａから図５Ｄは体液収集装置１０の異なる使用方法を示す概略図である。図５Ａは女性の尿又は経血の収集に用いる場合、図５Ｂは男性の尿又は精液の収集に用いる場合、図５Ｃは女性の母乳の収集に用いる場合である。これら実施例において、第一密封帯状区域１１２１の外縁は第一シート部材１１の縁より小さく、かつ第二シート部材２１の縁よりも小さい。第一シート部材１１の縁に隣接している第二表面Ｓ２は第二シート部材２１の第三表面Ｓ３から離れており（第二表面Ｓ２のうち縁に隣接している部分と第三表面Ｓ３は分離している）、これにより第二シート部材２１が引っ張り（又は水圧、重力）を受けた際に第一シート部材１１に生じる作用力を緩衝することができ、第一シート部材１１が人体から剥がれづらくなる。第一シート部材１１及び第二シート部材２１は弾性のある材質を使用することができ、緩衝の効果がより増大する。図５Ａに示すように、使用時は袋体の開口を女性使用者の尿道口及び膣口に合わせ、第一シート部材１１を粘着層１３によって外陰部へ粘着させ、尿又は経血を袋体の中へ流入させる。図５Ｂに示すように、使用時は袋体の開口を男性使用者の尿道口に合わせ、第一シート部材１１を粘着層１３によって亀頭又は陰茎へ粘着させ、尿又は精液を袋体の中へ流入させる。
【００３４】
これら実施例において、体液収集装置１０は構造維持ユニット１４をさらに含むことができる。構造維持ユニット１４は第一シート部材１１の縁の第二表面Ｓ２に延設され（図５Ｂに示す）、第一シート部材１１上に設置された枠同様に、第一シート部材１１を使用者に貼附させる際に皺が生じるのを防ぎ、貼附前に第一シート部材１１の縁形状を維持するために用いる。構造維持ユニット１４は粘着力を調整することで（例えば、構造維持ユニット１４と第一シート部材１１との間の粘着力を、第一シート部材１１が粘着層１３によって人体に粘着する粘着力よりも小さくする）、使用者は貼附後に構造維持ユニット１４を取り外すことができる。図５Ｃに示すように、第一開口１２は第二開口２２より小さく、第二開口２２の縁は第一密封帯状区域１１２１の内縁と重なっており（図４Ａも同時に参照）、使用時は第一開口１２を女性使用者の乳頭に合わせ、第一シート部材１１を粘着層１３によって乳房へ粘着させ、母乳を袋体の中へ流入させる。第一シート部材１１を表面が曲面である体表へ粘着させる際、第一開口１２の縁は非常に皺が生じやすく、体液が皺の箇所から第一シート部材１１の縁へと漏れてしまうが、第一シート部材１１の第二表面Ｓ２に、第一開口１２の縁を囲んで構造維持ユニット１４を延設させることができ、第一開口１２の形状を維持し、第一開口１２に皺が生じ体液が漏れることを防止することができる。図５Ｄに示すように（亀頭に粘着させる体液収集装置１０）、構造維持ユニット１４は縁から延伸してつまみ部１４１を形成することができ、つまみ部１４１は少なくとも一点は構造維持ユニット１４に連結され、使用者は指でそれをつまむことで、貼附前に体液収集装置１０の位置を調整する、又は貼附後に構造維持ユニット１４を取り外すことが可能となる。包皮小帯と陰嚢に隣接する冠状溝箇所の陰茎表面は平らではなく、ここは性行為中における摩擦力が最大の場所であり、同時に第一シート部材１１の底縁と貼附する場所でもある。本発明を避妊に用いる実施例では、第一シート部材１１の底縁はさらに円弧形の切り目を有し、貼附部１１は底縁から剥離しづらくなっている。
【００３５】
本発明を精液収集装置とした場合、第二シート部材２１（又は第三シート部材３１）の周長は例えば１８０ｍｍ未満、好ましくは１５０ｍｍ未満、より好ましくは１２０ｍｍ未満であり、厚さは例えば０．１ｍｍ未満、好ましくは０．０５ｍｍ未満、より好ましくは０．０３未満であり、袋体の容積は例えば２０ミリリットル（ｍｌ）未満、好ましくは１５ミリリットル未満、より好ましくは１０ミリリットル未満である。周長が短く厚さが薄いことで体液収集装置１０のサイズがより軽薄で短小となり、性行為中の双方の快感が向上する。容積の設定は男性の一度の射精量に合わせて設定するが、通常は１０ミリリットル未満である。
【００３６】
図６Ａ及び図６Ｂは本発明の別の実施例である。体液収集装置１０の第三シート部材３１の縁の少なくとも一部分と、第二シート部材２１の縁の少なくとも一部分は製造過程において連続材料の方法で連結される。図６Ａに示すように、第三シート部材３１と第二シート部材２１は連続材料の方法、例えば第二開口２２を有するシート部材を半分に折る又は折り畳み、シートを２つの部分、つまり第二開口２２を含む第二シート部材２１に相当する部分、第二開口２２を含まないものは第三シート部材３１に相当する部分として定義する。そして他の開放縁を連結することで図６Ａに示す構造を形成することができる。図６Ｂに示すように、第三シート部材３１の縁と第二シート部材２１の縁は全て連続材料の方法で連結されており、これは例えば吹込み成形、３Ｄプリント又は浸漬成形によって作ることができるがこれに限らない。
【００３７】
図７に示す体液収集装置１０は本発明の実施例である。体液収集装置１０は第一シート部材１１と、第二シート部材２１と、第三シート部材３１とを有し、第一シート部材１１は第一開口１２及び第一表面Ｓ１を有し、第一表面Ｓ１には使用者への粘着に用いる粘着層１３が設けられ、第二シート部材は第二開口２２を有し、第二開口２２の縁は円形、楕円形、又は角丸正多角形に沿って、第一シート部材１１の第一開口１２の縁と連続材料の方法で密封連結され、第三シート部材３１の縁と第二シート部材２１の縁は連続材料の方法で密封連結されることで、開口を有する袋体が形成され、体液の貯蔵に用いる。本実施例において、第三シート部材３１の縁と第二シート部材２１の縁との連結方法、又は第二シート部材２１の第二開口２２の縁と第一シート部材１１の第一開口１２の縁との連結方法は、例えば吹込み成形、３Ｄプリント又は浸漬成形によって作ることができるがこれに限らない。
【００３８】
図８Ａ及び図８Ｂは本発明の別の実施例である。体液収集装置１０の第三シート部材３１は自然状態の下で平面又は弧状面のシートであり、又は両者の組み合わせである。図８Ａに示すように、第三シート部材３１は弧状面の膜として製造され、これにより袋体の容量が増大し、より多くの体液が収集可能となる。図８Ｂに示すように、第三シート部材３１は一部が平面で一部が弧状面の軟質シート部材である。ここで第三シート部材３１の縁に隣接する部分は平面構造として製造され、中央部分は弧状構造（又は嚢状構造であってもよい）として製造されており、比較的大きい袋体開口と合わせることで、少なくとも一部の人体器官（例えば乳頭又は幼児の陰茎だがこれに限らない）を通過させて袋体の内部空間に収容させることができる。弧状構造は例えば真空成形、圧空成形、マッチドダイ成形、吹込み成形、３Ｄプリント又は浸漬成形によって作ることができるがこれに限らない。
【００３９】
図９及び図１０Ａから図１０Ｃに示すように、体液収集装置１０の第二シート部材２１の第四表面Ｓ４と第三シート部材３１の第五表面Ｓ５との間にさらにスペーサを設けることができる。図１０Ａから図１０Ｃは図９の水平断面を示しており、スペーサによって第二シート部材２１の第四表面Ｓ４と第三シート部材３１の第五表面Ｓ５とは完全に貼附せず、かつ袋体内に完全に密封された空間を形成していない。スペーサは非平面の立体構造を有し、以下の要素の少なくとも１つを含むことができるがこれに限らない。例えば気泡緩衝材１５１（図１０Ａに示す）、段ボール１５２（図１０Ｂに示す）、単一又は複数の管状物１５３（図１０Ｃに示す）体液は第二シート部材２１及び第三シート部材３１とスペーサとの間に形成される隙間から流れるため、肢体や衣服の皺により袋体が圧迫され体液が滞るのを効果的に防止することができる。
【００４０】
図１１Ａは本発明の体液収集装置１０の別の実施例である。図１１Ｂは図１１Ａの水平断面を示しており、第二シート部材２１の第四表面Ｓ４と第三シート部材３１の第五表面Ｓ５はその一部が連結され、袋体を通路により相互に通じる二つの空間に分けている（図１１Ａに示す）。また通路にさらにスペーサを設けることで、袋体の２つの空間がスペーサにより相互に通じるようにすることもできる。スペーサは一方向誘導機能を有する一方向要素１６である（図１１Ｂに示す）。一方向要素は一方向弁又は流量計であってよいがこれに限らない。一方向弁は尿の逆流（尿路感染症を引き起こしやすい）防止に用い、流量計は使用者の尿流量の統計に用いる。
【００４１】
図１２Ａは本発明の実施例である。第二シート部材２１と第三シート部材３１は長い対称軸と短い対称軸を有する角丸の矩形であり、袋体の開口は長い対称軸に隣接する一端に設けられている。第二密封帯状区域２１３１上には少なくとも１つの紐穴１７が設けられ、使用時に細い紐、接着テープ又は面ファスナーを紐穴１７に通して袋体を使用者の足に固定する際に便利であり（図１２Ｂに示す）、尿で満たされた袋体が引っ張りを受けるのを防止し袋体の揺れを減少させることができる。長い対称軸と短い対称軸の比率は例えば２：１より大きくすることができ、好ましくは３：１より大きく、より好ましくは４：１より大きい。細長で帯状の袋体は、体液の重量を平均的に分散させ重心が不安定になることを防ぎ、使用者は足を自由に動かすことができるという利点を有し、着座状態、起立状態及び横臥状態又は歩行時のいずれも障害がない。本発明の属する技術分野における通常知識を有する者であれば、紐穴１７をボタン穴とすることもでき、ボタンを連結することで固定効果が達せられることを理解できる。
【００４２】
図１３は本発明の別の実施例である。第二シート部材２１と第三シート部材３１は長い対称軸と短い対称軸を有する角丸の矩形であり、袋体の開口は長い対称軸の中間点に設けられている。長い対称軸の両端は外に向かって延伸しているため袋体がより長くなり、袋体の容量が増加しより多くの尿を収集できる。また、袋体の長い対称軸の両端を使用者の左足及び右足にそれぞれ固定することが可能となる。
【００４３】
本発明はさらに排水管が含まれてもよい。排水管は袋体の第二シート部材２１又は第三シート部材３１に連結され、袋体内に貯蔵された体液を排水管を通じて袋体の外部へ排出させることができる。図１４Ａは本発明の別の実施例であり、図１４Ｂは図１４Ａの垂直断面である。体液収集装置１０の第二密封帯状区域２１３１は密封されていない開放部分を有し、排水管１８は開放部分を通り抜け第二シート部材２１と第三シート部材３１の間に挟まれている。排水管１８は袋体に連結されると同時に以下の要素の少なくとも１つを含むことができるがこれに限らない。蓋体１９（図１４Ｃに示す、排水管１８を密封するために、弾性材料及び摩擦力によって蓋体１９を排水管１８へ差し込む）、スイッチ、バルブ、流量計（排尿量の計算に用いる）、一方向弁（逆止弁ともいう、尿の逆流を防ぐ）。図１４Ｂ及び図１４Ｃで示す排水管１８はあくまで例示に過ぎず、長さは任意に延長することができる。
【００４４】
本発明はさらに離型層２０が含まれていてもよい。離型層２０は粘着層１３の少なくとも一部分を覆い、粘着層１３が使用前に汚れて粘性を失うことを防ぐ。離型層２０は例えば離型紙であってよい。図１５Ａから図１５Ｅは母乳（男性の尿／女性の尿）の収集に本発明を用いる際の使用ステップである。袋体は連続材料の同一のシートを折った後その全部又は一部の縁を密封して形成される。密封された縁は第二密封帯状区域２１３１を形成する。第一開口１２は第二開口２２より小さく、第二開口２２の縁は第一開口１２と第一密封帯状区域１１２１の内縁との間に位置する（図４Ｃも合わせて参照）。ステップ１は図１５Ａに示すように、使用時に体液収集装置１０の離型層２０は分けられて剥離され、第一シート部材１１上の粘着層１３が露出する。ステップ２は図１５Ｂに示すように、第一開口１２を女性の乳頭（尿道口）に合わせ第一シート部材１１を粘着層１３により乳房皮膚（男性亀頭／女性大陰唇）へ粘着させる。ステップ３（必須のステップではない）は図１５Ｃに示すように、構造維持ユニット１４を取り外す。ステップ４は図１５Ｄに示すように、蓋体１９と排水管１８を互いに螺合し排水管１８を閉じる。ステップ５は図１５Ｅに示すように、使用者の母乳（尿）を第一開口１２及び第二開口２２を介して袋体の中に流入させ貯蔵し、後にふさわしい場所を選択して排水管１８を開けて体液を排出させる。本実施例において、第二シート部材２１又は第三シート部材３１は少なくとも１つの排水口を有する。排水管１８は排水口に対応する形で設置され、排水管１８の一端は排水管１８の軸方向とほぼ垂直で排水管１８の外周を囲むよう設けられたつば部１８１を有し、つば部１８１は第二シート部材２１の第三表面Ｓ３又は第三シート部材３１の第六表面Ｓ６と連結されることで、排水管１８が第二シート部材２１又は第三シート部材３１と連結する強度及び信頼性が高まる。さらに排水管１８上に雄ねじを設け蓋体１９内に雌ねじを設けることで両者を着脱可能に合わせることができる。ただし本発明の属する技術分野における通常知識を有する者であれば、本実施例において上記雄ねじと雌ねじは、排水管１８及び蓋体１９のいずれか一方に凸縁を設けてもう一方に凹縁を設け両者を組み合わせることで簡略化できることを理解できる。
【００４５】
上記内容は例示に過ぎず、本発明を限定するものではなく、本発明の趣旨及び範囲から逸脱することなく行われる等価な変更又は変形は、いずれも全て本発明の範囲に含まれるべきである。
【符号の説明】
【００４６】
１０  体液収集装置
１１  第一シート部材
１２  第一開口
Ｓ１  第一表面
Ｓ２  第二表面
１３  粘着層
２１  第二シート部材
２２  第二開口
Ｓ３  第三表面
Ｓ４  第四表面
１１２１  第一密封帯状区域
３１  第三シート部材
Ｓ５  第五表面
Ｓ６  第六表面
２１３１  第二密封帯状区域
１４  構造維持ユニット
１４１  つまみ部
１５１  気泡緩衝材
１５２  段ボール
１５３  管状物
１６  一方向要素
１７  紐穴
１８  排水管
１８１  つば部
１９  蓋体
２０  離型層
【図１】
2021529033.tif 000003
【図２Ａ】
2021529033.tif 000004
【図２Ｂ】
2021529033.tif 000005
【図２Ｃ】
2021529033.tif 000006
【図３Ａ】
2021529033.tif 000007
【図３Ｂ】
2021529033.tif 000008
【図４Ａ】
2021529033.tif 000009
【図４Ｂ】
2021529033.tif 000010
【図４Ｃ】
2021529033.tif 000011
【図５Ａ】
2021529033.tif 000012
【図５Ｂ】
2021529033.tif 000013
【図５Ｃ】
2021529033.tif 000014
【図５Ｄ】
2021529033.tif 000015
【図６Ａ】
2021529033.tif 000016
【図６Ｂ】
2021529033.tif 000017
【図７】
2021529033.tif 000018
【図８Ａ】
2021529033.tif 000019
【図８Ｂ】
2021529033.tif 000020
【図９】
2021529033.tif 000021
【図１０Ａ】
2021529033.tif 000022
【図１０Ｂ】
2021529033.tif 000023
【図１０Ｃ】
2021529033.tif 000024
【図１１Ａ】
2021529033.tif 000025
【図１１Ｂ】
2021529033.tif 000026
【図１２Ａ】
2021529033.tif 000027
【図１２Ｂ】
2021529033.tif 000028
【図１３】
2021529033.tif 000029
【図１４Ａ】
2021529033.tif 000030
【図１４Ｂ】
2021529033.tif 000031
【図１４Ｃ】
2021529033.tif 000032
【図１５Ａ】
2021529033.tif 000033
【図１５Ｂ】
2021529033.tif 000034
【図１５Ｃ】
2021529033.tif 000035
【図１５Ｄ】
2021529033.tif 000036
【図１５Ｅ】
2021529033.tif 000037
【国際調査報告】
2021529033.tif 000038
2021529033.tif 000039
2021529033.tif 000040
2021529033.tif 000041